(57)【要約】【課題】本発明は調理時と調理後の鍋蓋を鍋本体に保持させ、洗浄時や収納時には容易に脱着される構成とし、高齢者や身障者にも安全に調理に使用される、蓋を保持した鍋を提供する。【解決手段】本体（１）に柄（２）を備え、柄（２）に支点（３）と支点（６）を具備させ、防熱具（８）を有し、支点（３）にはリンク（４）と押し具（５）を有し、リンク（４）の凸部（４−２）を引くと、リンク（４）の挟持部（４−１）に保持された蓋（１１）は摘み具（９）のロット（１０）を挟持して、柄（２）の支点（３）を基点に蓋（１１）は上昇し、押し具（５）は押さえ具（７）を作用させ、蓋（１１）を本体（１）の内部に停止させ、蓋（１１）の内側の水滴などを本体（１）内に落下させ、凸部（４−２）を押すと蓋（１１）は下降し防熱具（８）は調理中の柄（２）の加熱を防止する。【選択図】  図１
2005095195.tif 000002
【特許請求の範囲】
【請求項１】
本体（１）に柄（２）を有し、柄（２）に支点（３）と（（６）を備え防熱具（８）を有し、柄（２）の支点（３）にリンク（４）と押し具（５）を具備させ、リンク（４）は挟持部（４−１）と凸部（４−２）を有し、支点（６）には押さえ具（７）を有し、蓋（１１）の摘み具（９）はロット（１０）にて系着させた事を特徴とした、蓋を保持した鍋。
【請求項２】
本体（１）に柄（２）を有し、支点（３）にリンク（４）を系着し、リンク（４）には挟持部（４−１）を備え、蓋（１１）は摘み具（９）と系止具（９−１）を備え、系止具（９−１）に孔（９−２）を具備させた事を特徴とした、蓋を保持した鍋。
【請求項３】
本体（１）に柄（２）を有し、柄（２）に上溝（２−１）と下溝（２−２）を有し、スライド具（３）を具備させ、スライド具（３）の支点（３−１）にリンク（４）を有し、リンク（４）挟持部（４−１）凸部（４−２）を具備させ、蓋（１１）の摘み具（９）はロット（１０）にて系着された事を特徴とした、蓋を保持した鍋。
【発明の詳細な説明】
【発明の詳細な説明】
【技術分野】
【０００１】  本発明は、鍋蓋を鍋本体に保持させて、調理時や食事の際に蓋の仮置場所や蓋の水滴の落下による周辺の汚染等の事態を解消し、部材も分離させ洗浄が簡単にでき、収納も容易で衛生であり安全に使用される、蓋を保持した鍋を提供する。
【背景技術】
【０００２】  鍋蓋の系止発明として特開平１０−３０９２３５鍋蓋を備えた鍋、特開平１０−２９５５４７。特開２００３−１９０７２。鍋蓋等は製造工程にて鍋本体に冶具の取り付けが必要で、金型等の製造コストに影響され、特開平９−２５２９３４蓋の系止具に転倒などの不安的な要素があり、特開平７−２５５５９８脱着に技術が必要であり、特開平９−６５９７０は鍋底に装着の為に調理内容が制限される。
【発明が解決しようとする課題】
【０００３】従来は鍋にて調理を開始する場合、温度の上昇までは鍋蓋は必要であるが調理中の頻繁な脱着の為に、独身者や高齢者の核家族等は最初から蓋の使用はされず、省エネ、空焚きの火災などにも懸念され、調理時には高齢者や子供達の使用には急激な沸騰等の対処に、鍋をひっくり返す等による危険性もある。
身障者等は加熱中特に鍋内部の把握に熟練が必要であり、視覚障害者は特に危険性を秘めている。
本発明は、これらの課題を解決するために実施された。
【発明が解決しようとする手段】
【０００４】
【請求項１】
本体（１）に柄（２）を有し、柄（２）に支点（３）と（（６）を備え防熱具（８）を有し、柄（２）の支点（３）にリンク（４）と押し具（５）を具備させ、リンク（４）は挟時部（４−１）と凸部（４−２）を有し、支点（６）には押さえ具（７）を有し、蓋（１１）の摘み具（９）はロット（１０）にて系着させた事を特徴とする、蓋を保持した鍋。
【請求項２】
本体（１）に柄（２）を有し、柄（２）に支点（３）とリンク（４）を系着し、リンク（４）には挟時部（４−１）を備え、蓋（１１）は摘み具（９）と系止具（９−１）を備え、孔（９−２）を具備させた事を特徴する、蓋を保持した鍋。
【請求項３】
本体（１）に柄（２）を有し、柄（２）に上溝（２−１）と下溝（２−２）を有し、スライド具（３）を具備させ、スライド具（３）の支点（３−１）にリンク（４）を有し、リンク（４）に挟時部（４−１）凸部（４−２）を具備させ、蓋（１１）の摘み具（９）はロット（１９）にて系着された事を特徴する、蓋を保持した鍋。
【発明の効果】
【０００５】  （１）鍋蓋の仮置き場所が不要で調理場の衛生に効果がある。
（２）鍋蓋の挟持部がラフの為に、鍋内部の稼動状況が聴覚身障者でも把握される。
（３）蓋内の水滴が鍋の内部に落下し、周辺の衛生上に効果がある。
（４）多数の鍋の管理に明確性がある。
【発明を実施するための最良の形態】
【０００６】
【請求項１】
【図１】
本体（１）に柄（２）を備え、柄（２）には支点（３）と（（６）を具備させて防熱具（８）を有し、柄（２）のリンク（４）の凸部（４−２）を引くと、支点（３）のリンク（４）は上昇し、押し具（５）も作動、リンク（４）の挟時部（４−１）は蓋（１１）のロット（１０）を保持している為に蓋（１１）支点（３）を基点に上昇し、柄（２）の支点（６）の押し具（５）の連動は、押さえ具（７）に作用して蓋（１１）を本体（１）内側に押さえ込み蓋（１１）は柄（２）の支点（３）を基点に上昇、停止する。
蓋（１１）の脱着はロット（１０）に系着しているリンク（４）の挟時部（４−１）にて離脱し、防熱具（８）は調理中の柄（２）の加熱を防止する。
【請求項２】
【図６】
本体（１）の柄（２）に、支点（３）を基点にしたリンク（４）を備えており、使用時は蓋（１１）の摘み具（９）を掴んで、系止具（９−１）をリンク（４）の挟時部（４−１）に差し込んで系止させ、蓋（１１）の孔（９−２）は本体（１）調理時の内部の減圧作用である。
【請求項３】
本体（１）に柄（２）を有し、柄（２）には上溝（２−１）下溝（２−２）を具備させ、スライド具（３）を保持、摺動に作用させ、スライド具（３）の支点（３−１）はリンク（４）を有し、リンク（４）の挟時部（４−１）は蓋（１１）の摘み具（９）のロット（１０）を挟時して保持、リンク（４）の凸部（４−２）を作動させるとリンク（４）は蓋（１１）を保持して、蓋（１１）を本体（１）の後方開閉又は上下作動をし、挟持部（４−１）にて蓋（１１）は容易に脱着される。
【発明の実施例】
【０００７】  本発明は以上の構成、作用でこの実施を
【請求項】
別に説明する。
【請求項１】
は
【図１〜５】
にて説明すると
本体（１）に固持された柄（２）に具備された支点（３）（６）は上部が開放されておりリンク（４）の作動には支障が無く、リンク（４）の凸部（４−２）を引くことにてリンク（４）は作動し、蓋（１１）の摘み具（９）のロット（１０）を挟み込みしている、挟持部（４−１）は蓋（１１）を持ち上げ、摘み具（９）には空間を持たせておりロット（１０）と挟持部（４−１）は空間があり、蓋（１１）の上昇に伴い押し具（５）は押さえ具（７）に作用して蓋（１１）の端面を本体（１）の端に系止させ、蓋（１１）内部に付着した水滴は本体（１）に落下する。
【図２】
は蓋（１１）の作動図にて
【図３】
は蓋（１１）の系止の詳細図であり、
Ａ＝は摘み具（９）の空間内のリンク（４）の挟持部（４−１）内部の移動図である。
Ｂ＝は柄（２）に位置する支点（３）（６）の遍芯で作動のずれを目的とする詳細である。
【図４】
【図５】
は蓋（１１）を挟持の詳細で摘み具（９）のロット（１０）を保持する図であり、丸穴にて伸縮材（９−１）にての保持と切りかき部にての挟持法であり、両案とも蓋（１１）の脱着は確実で容易である。
柄（２）の平面を全面的に中空にすればリンク（４）は１８０度作動しリンク（４）は柄（２）の内部に収納され、調理後の格納には安全である。
【請求項２】
は
【図６−８】
にて説明する。
本体（１）の有す柄（２）に装着された支点（３）のリンク（４）の挟持部（４−１）に蓋（１１）の摘み具（９）にて系止具（９−１）をリンク（４）の挟持部（４−１）に挟める事にて蓋（１１）を保持させ、
【図７】
は調理時に
【図８】
は調理後の本体（１）の内容物の取り出し時に開放の段階であり孔（９−２）は調理時の内部の減圧用である
【請求項３】
は
【図９−１０】
にて説明する。
本体（１）の有す柄（２）の上溝（２−１）下溝（２−２）はスライド具（３）の摺動に作用させ、支点（３−１）はリンク（４）の作動をしてリンク（４）の挟持部（４−１）には蓋（１１）の摘み具（９）のロット（１０）を保持し、リンク（４）の凸部（４−２）を引くことにて、蓋（１１）は本体（１）より離れ、リンク（４）の凸部（４−２）を押し込めば蓋（１１）は上昇し、凸部（４−２）を引けば蓋（１１）は開となり、調理時には蓋（１１）を開度が大きいほうが内部の確認が安全である。
【図１０】
は作動図である。
Ｃ＝蓋（１１）の上昇開度の詳細である。
Ｄ＝蓋（１１）の水平開閉移動の詳細である。
本発明は鍋の柄や摘み具の改良改善にて実施されるために安価である。
【産業上の利用可能性】
【０００８】外食産業界や給食業界の調理場の簡素化に貢献し、衛生的な職場形態を提供し、従事者の作業負荷の軽減にもなる。
【図面の簡単な説明】
【０００９】
【図１】 
【請求項１】
本発明の側面、断面図
【図２】
【請求項１】
の平面、断面図
【図３】
【請求項１】
の作動、詳細図
【図４】
本発明の挟持部詳細図
【図５】
本発明の挟持部詳細図
【図６】
【請求項２】
の側面、断面図
【図７】
【請求項２】
の側面、作動図
【図８】
【請求項２】
の側面、作動図
【図９】
【請求項３】
の側面、断面図
【図１０】
【請求項３】
の作動詳細図
【符号の説明】
【０００１０】  図面別に説明する。
【図１】
〜
【図３】
本体（１）柄（２）支点（３）リンク（４）挟持部（４−１）凸部（４−２）押し具（５）支点（６）押さえ具（７）防熱具（８）摘み具（９）ロット（１０）蓋（１１）挟持部の移動範囲（Ａ）支点の遍芯（Ｂ）。
【図４】
【図５】
リンク（４）挟持部（４−１）掴み具（９）伸縮材（９−１）ロット（１０）蓋（１１）。
【図６】
【図８】
本体（１）柄（２）支点（３）リンク（４）挟持部（４−１）掴み具（９）系止具（９−１）孔（９−２）。
【図９】
〜
【図１０】
本体（１）柄（２）上溝（２−１）下溝（２−２）スライド具（３）支点（３−１）リンク（４）挟持部（４−１）凸部（４−２）掴み具（９）ロット（１０）蓋（１１）。
【図１】
2005095195.tif 000003
【図２】
2005095195.tif 000004
【図３】
2005095195.tif 000005
【図４】
2005095195.tif 000006
【図５】
2005095195.tif 000007
【図６】
2005095195.tif 000008
【図７】
2005095195.tif 000009
【図８】
2005095195.tif 000010
【図９】
2005095195.tif 000011
【図１０】
2005095195.tif 000012